(57)【要約】【課題】  コネクタの抜き出し事前検知機構等の特別な構成を必要とせず、また、一瞬のシャッターチャンスを逃すようなことなく、電源瞬断によりファイル管理領域のデータが破壊されるのを防止する。【解決手段】  被写体像を電気信号に変換し、ファイル管理領域及びデータ領域を持つ記録フォーマットで記録メディア８に記録する構成とされ、二次電池４及び外部電源装置２のいずれにおいても動作可能であるとともに、外部電源装置２により二次電池４への充電も可能な撮像装置であって、外部電源装置２及び二次電池４の両方が接続された場合に、二次電池４の充電済み容量が所定値に達していない状態で撮影が行われたときには、データ領域の書き込みを先行し、ファイル管理領域の書き込みを禁止するとともに、ファイル管理領域に書き込むべき情報をＦＡＴバッファ１０に記憶する。【選択図】  図１
2006148581.tif 000002
【特許請求の範囲】
【請求項１】
被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置であって、
外部電源及び二次電池の両方が接続された場合に、二次電池の充電済み容量が所定値に達していない状態で撮影が行われたときには、データ領域の書き込みを先行し、ファイル管理領域の書き込みを禁止する手段と、
ファイル管理領域に書き込むべき情報を記憶手段に記憶する手段とを備えたことを特徴とする撮像装置。
【請求項２】
データ領域の先行書き込みが行われたことを警告する警告手段を備えたことを特徴とする請求項１に記載の撮像装置。
【請求項３】
ファイル管理領域への強制書き込み指示手段を備えたことを特徴とする請求項１又は２に記載の撮像装置。
【請求項４】
データ領域のみに書き込みが行われた画像が所定枚数に達したら、以後の撮影を禁止する手段を備えたことを特徴とする請求項１〜３のいずれか１項に記載の撮像装置。
【請求項５】
被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置の制御方法であって、
外部電源及び二次電池の両方が接続された場合に、二次電池の充電済み容量が所定値に達していない状態で撮影が行われたときには、データ領域の書き込みを先行し、ファイル管理領域の書き込みを禁止する手順と、
ファイル管理領域に書き込むべき情報を記憶手段に記憶する手順とを有することを特徴とする撮像装置の制御方法。
【請求項６】
被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置を制御するコンピュータプログラムであって、
外部電源及び二次電池の両方が接続された場合に、二次電池の充電済み容量が所定値に達していない状態で撮影が行われたときには、データ領域の書き込みを先行し、ファイル管理領域の書き込みを禁止する処理と、
ファイル管理領域に書き込むべき情報を記憶手段に記憶する処理とをコンピュータに実行させることを特徴とするコンピュータプログラム。
【発明の詳細な説明】
【技術分野】
【０００１】
本発明は、電子スチルカメラ等の撮像装置、撮像装置の制御方法、及びコンピュータプログラムに関する。
【背景技術】
【０００２】
近年、電子スチルカメラが急速に普及し、多様な製品が発売されている。電子スチルカメラでは、撮影が行われると、撮像素子により得られた電気信号から画像データが生成され、画像処理や圧縮処理が施された後、ハードディスクやフラッシュメモリのような不揮発性の記録メディアに記録される。
【０００３】
このように撮影が実際に行われた後、電気的な処理が行われるため、電子スチルカメラは一般的に電源供給が絶たれることに対して弱い特性をもっている。そのため、従来の電子スチルカメラでは、電池により駆動される場合には撮影から記録までの全ての動作が完了するだけの電池の残容量がある場合にのみレリーズを許可する対策をとって、撮影された画像が電池の消耗により失われることを防止している。
【０００４】
一方、外部電源及び二次電池の双方で駆動可能な電子スチルカメラもあり、この場合に外部電源で二次電池を充電可能に構成する場合もある。外部電源及び二次電池の双方で駆動可能な電子スチルカメラは、電源の使い分けが簡単であるし、二次電池を外部電源で充電可能に構成しておけば別途充電器を用意する必要も無くなる。
【０００５】
外部電源及び二次電池の双方で駆動可能な電子スチルカメラは、撮影が行われて画像データが記録メディアに記録されている記録中に外部電源が瞬間的に切れてしまった場合、二次電池側に十分なチャージ量が無いと記録メディアへの記録が途中で中断してしまう。
【０００６】
この時、ファイル管理領域の書き込み中であると、ファイル管理領域のデータが破壊されてしまい、記録途中のデータのみならず、記録済みデータまでも失われてしまう危険性がある。この危険性を避けるために、外部電源側のコネクタの抜き出し事前検知機構を設けておき、瞬断を事前に検知しファイル管理領域のデータの破壊を防止する対策が採られている。
【０００７】
また、特許文献１に開示された光磁気ディスクドライブ装置では、外部電源の瞬断対策として、内蔵された二次電池に蓄えられたチャージ量が予め定められた量に達していない時には、ライトデータの書き込みを禁止することにより、データの書き込みの確実性を確保している。
【０００８】
【特許文献１】特開平７−２１０９２０号公報
【発明の開示】
【発明が解決しようとする課題】
【０００９】
しかしながら、電子スチルカメラの使用中の電源瞬断時にファイル管理領域のデータを保全する従来技術には、以下のような欠点が有った。
【００１０】
外部電源側のコネクタの抜き出し事前検知機構を設けた従来例では、事前検知機構が必要なため、コストアップの要因となってしまう。
【００１１】
また、特許文献１に開示された光磁気ディスクドライブ装置の技術を電子スチルカメラに適用した場合、チャージ量が予め定められた量に達していない時にライトデータの書き込みを禁止するということは、この期間の撮影を禁止する必要が生じ、一瞬のシャッターチャンスを逃してしまうという問題があった。
【００１２】
本発明は上記のような点に鑑みてなされたものであり、コネクタの抜き出し事前検知機構等の特別な構成を必要とせず、また、一瞬のシャッターチャンスを逃すようなことなく、電源瞬断によりファイル管理領域のデータが破壊されるのを防止することを目的とする。
【課題を解決するための手段】
【００１３】
本発明による撮像装置は、被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置であって、外部電源及び二次電池の両方が接続された場合に、二次電池の充電済み容量が所定値に達していない状態で撮影が行われたときには、データ領域の書き込みを先行し、ファイル管理領域の書き込みを禁止する手段と、ファイル管理領域に書き込むべき情報を記憶手段に記憶する手段とを備えた点に特徴を有する。
本発明による撮像装置の制御方法は、被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置の制御方法であって、外部電源及び二次電池の両方が接続された場合に、二次電池の充電済み容量が所定値に達していない状態で撮影が行われたときには、データ領域の書き込みを先行し、ファイル管理領域の書き込みを禁止する手順と、ファイル管理領域に書き込むべき情報を記憶手段に記憶する手順とを有する点に特徴を有する。
本発明によるコンピュータプログラムは、被写体像を電気信号に変換し、ファイル管理領域及びデータ領域を持つ記録フォーマットで記録メディアに記録する構成とされ、二次電池及び外部電源のいずれにおいても動作可能であるとともに、外部電源により二次電池への充電も可能な撮像装置を制御するコンピュータプログラムであって、外部電源及び二次電池の両方が接続された場合に、二次電池の充電済み容量が所定値に達していない状態で撮影が行われたときには、データ領域の書き込みを先行し、ファイル管理領域の書き込みを禁止する処理と、ファイル管理領域に書き込むべき情報を記憶手段に記憶する処理とをコンピュータに実行させる点に特徴を有する。
【発明の効果】
【００１４】
本発明によれば、外部電源及び二次電池の両方が接続された場合に、二次電池の充電済み容量が所定値に達していない状態で撮影が行われたときには、データ領域の書き込みを先行し、ファイル管理領域の書き込みを禁止するようにしたので、コネクタの抜き出し事前検知機構等の特別な構成を必要とせず、また、一瞬のシャッターチャンスを逃すようなことなく、電源瞬断によりファイル管理領域のデータが破壊されるのを防止することができる。
【００１５】
さらに、データ領域の先行書き込みが行われたことを警告するようにすれば、ユーザが不用意に電源を切ることを防止することができる。また、ファイル管理領域への強制書き込み指示手段を備えることによりファイル領域への強制書き込みが可能となる。また、データ領域のみ書き込みが行われた画像が所定枚数に達したら、以後の撮影を禁止するようにすれば、不意の電源断により失われるデータを最小限にとどめることができる。
【発明を実施するための最良の形態】
【００１６】
以下、添付図面を参照して、本発明の好適な実施形態について説明する。図１は、本発明を適用した電子スチルカメラの要部構成を示す図である。同図において、１は電子スチルカメラ本体、２は着脱式の外部電源装置である。
【００１７】
３はカメラマイコンであり、カメラ全体の動作をコントロールする。４は着脱式の二次電池であり、外部電源装置２若しくは二次電池４の少なくとも一方からの給電によりカメラは動作可能に構成されている。
【００１８】
５は電源回路であり、安定化電源供給回路５１、充電回路５２、充電済み容量判別回路５３、使用電源切替回路５４が含まれている。安定化電源供給回路５１は電子スチルカメラ１の各部に必要な電力を必要な電圧で供給する。充電回路５２は外部電源装置２からの電源により二次電池４の充電を行う。充電済み容量判別回路５３は二次電池４の充電容量を検出する。使用電源切替回路５４は外部電源装置２と二次電池４のいずれの電源を選択するか決定する。
【００１９】
６はカメラ部であり、撮影レンズ系６１、撮像素子６２、画像処理回路６３、画像圧縮/伸張回路６４、画像バッファ６５等が含まれている。
【００２０】
７はレリーズスイッチであり、カメラマイコン３に撮影の指示を与える。８は着脱式の記録メディアであり、不揮発メモリやハードディスクドライブ等により構成される。記録メディア８はパーソナルコンピュータで広く使用されているＦＡＴ(file allocation table)方式によりファイルの管理がされている。９はメディアコントローラであり、記録メディア８へのファイル記録をコントロールする。１０は本発明でいう記憶手段に相当するＦＡＴバッファであり、記録メディア８のＦＡＴ情報をバッファリングする。
【００２１】
１１は表示回路である。１２は表示部であり、例えばバックライト付のＴＦＴカラー液晶パネルにより構成される。１３はメインスイッチである。１４はカメラモード切替スイッチであり、再生モード及び撮影モードの切替を行う。１５はメニュー釦である。１６は電子ダイヤルである。１７はセット釦である。１８は強制書き込み釦である。
【００２２】
メインスイッチ１３のオン／オフにより電子スチルカメラ１の動作がオン／オフされる。メインスイッチ１３がオンされた状態で、カメラモード切替スイッチ１４が再生モードであるとき、記録メディア８に蓄えられた画像データを読み出して、表示回路１１を介して表示部１２により表示する。表示中に電子ダイヤル１６が回転されると、回転方向に応じて前後の画像が表示される。カメラモード切替スイッチが撮影モードであるときには、電子スチルカメラ１は撮影スタンバイ状態になる。撮影スタンバイ状態では、表示部１２が電子ビューファインダとなり、撮影レンズ系６１を通して撮像素子６２に結像した画像が画像処理回路６３を介して画像バッファ６５に蓄えられ、表示部１２に表示されることで、被写体像のリアルタイム確認が可能である。
【００２３】
撮影モードであっても、再生モードであっても、メニュー釦１５を押すと、カメラ設定モードに入り、カメラマイコン３は表示回路１１を駆動し表示部１２にメニュー表示を行う。メニューで電子スチルカメラ１の設定を行うことができ、このとき電子ダイヤル１６により項目を選択し、セット釦１７を押して項目設定に入り、サブメニュー内で再度電子ダイヤル１６により設定値を選び、セット釦１７により決定する。
【００２４】
図２にメニューで設定可能な項目を示す。メニュー内のＦＡＴ保護書き込みがオンになっている場合に、本発明を適用したＦＡＴ保護書き込みが有効になる。メニュー釦１５を再度押すとメニュー設定から抜ける。
【００２５】
電子スチルカメラ１は前述の通り、外部電源装置２若しくは二次電池４の少なくとも一方からの給電により動作可能に構成されるが、本発明は外部電源装置２及び二次電池４の両方が接続されている状態での撮影動作に関するものであるので、その状態を主眼にして図３〜図７のフローチャートを用いて動作の説明を行う。なお、このモードは選択可能に構成され、メニュー中のＦＡＴ保護書き込みがオンになっている時に有効になり、オフの時には電源状態に係らずＦＡＴの更新を行っていく。
【００２６】
図３に示すように、メインスイッチ１３がオンされた状態で、カメラモード切替スイッチ１４が撮影モードで記録メディア８が装着されている時に、ステップＳ１０１で記録メディア８のＦＡＴ情報を読み込んでＦＡＴバッファ１０に記憶し、ステップＳ１０２では遅延書き込みフラグをリセットする。遅延書き込みフラグはＦＡＴバッファ１０に未書き込み情報が存在する時にセットされる。続いて、ステップＳ１０３では先行記録コマ数カウンタに０を記憶する。
【００２７】
ステップＳ１０４においてメインスイッチ１３がオフにされたならばステップＳ２０１に進み、ステップＳ１０５においてメニュー釦１５が押されていればステップＳ３０１に進み、ステップＳ１０６においてカメラモード切替スイッチ１４が再生モードに切り替えられたならばステップＳ４０１に進む（ステップＳ１０６）。
【００２８】
メインスイッチ１３がオンのままで（ステップＳ１０４）、メニュー釦１５が押されず（ステップＳ１０５）、撮影モードのまま（ステップＳ１０６）の場合、ステップＳ１０７で遅延書き込みフラグがセットされているかどうかを判定し、セットされていればステップＳ１０８に、セットされていなければステップＳ１１６に進む。
【００２９】
ステップＳ１０８において強制書き込み釦１８が押されていればステップＳ１１１に進む。ステップＳ１０９では充電済み容量判別回路５３から二次電池４の充電済み容量を取得する。ステップＳ１１０においてステップＳ１０９で取得した充電済み容量が未記録のＦＡＴ情報を書き込むのに十分な容量であればステップＳ１１１に進み、不十分であればステップＳ１１４に進む。
【００３０】
ステップＳ１１１ではＦＡＴバッファ１０のＦＡＴ情報をメディアコントローラ９を介して記録メディア８のＦＡＴ領域に記録する。ステップＳ１１２では遅延書き込みフラグをリセットし、警告表示を消す。ステップＳ１１３では先行記録コマ数カウンタに０を記憶し、その終了後ステップＳ１０４に戻る。
【００３１】
ステップＳ１１４において、先行記録コマ数カウンタの値が所定コマ数（本実施形態では１０コマ）に達していればステップＳ１１５に進み、達していなければステップＳ１１６に進む。ステップＳ１１５では表示部１２に例えば「遅延書き込みが１０コマに達しました  レリーズをロックします」と表示し、その後ステップＳ１０４に戻る。
【００３２】
ここでレリーズをロックするのは、未記録ＦＡＴ情報が多数のコマに渡った場合、万一の電源ダウン時に失われるデータが大きくなってしまうからである。なお、本実施形態では１０コマで制限をかけているが、このコマ数は自由に設定することが可能である。
【００３３】
ステップＳ１１６において、レリーズスイッチ７が押されていればステップＳ１１７に進み、押されていなければステップＳ１０４に戻る。ステップＳ１１７では撮影シーケンスが行われる。撮影シーケンスでは、撮像素子６２から得られた画像信号を画像処理回路６３により画像処理し、画像圧縮/伸張回路６４により圧縮して画像バッファ６５に一時記憶する。ステップＳ１１８では画像バッファ６５に蓄えられた圧縮済みの画像データをメディアコントローラ９を介して記録メディア８に記憶する。ステップＳ１１９ではＦＡＴバッファ１０を更新する。
【００３４】
図４に示すように、ステップＳ１２０では充電済み容量判別回路５３から二次電池４の充電済み容量を取得する。ステップＳ１２２においてステップＳ１０９で取得した充電済み容量が未記録のＦＡＴ情報を書き込むのに十分な容量であればステップＳ１２２に進み、不十分であればステップＳ１２５に進む。
【００３５】
ステップＳ１２２ではＦＡＴバッファ１０のＦＡＴ情報をメディアコントローラ９を介して記録メディア８のＦＡＴ領域に記録する。ステップＳ１２３では遅延書き込みフラグをリセットし、警告表示を消す。ステップＳ１２４では先行記録コマ数カウンタに０を記憶し、その終了後ステップＳ１０４に戻る。
【００３６】
ステップＳ１２５では先行記録コマ数カウンタに１を加える。ステップＳ１２６では遅延書き込みフラグをセットし、警告表示を点灯し、その後ステップＳ１０４に戻る。
【００３７】
図５に示すのは、電源オフが指示された時の動作である。ステップＳ２０１において遅延書き込みフラグがセットされていればステップＳ２０２に、セットされていなければステップＳ２０８に進む。ステップＳ２０２では表示部１２に例えば「遅延書き込みの情報がありますので、お待ちください」と表示する。ステップＳ２０３では充電済み容量判別回路５３から二次電池４の充電済み容量を取得する。
【００３８】
ステップＳ２０４においてステップＳ２０３で取得した充電済み容量が未記録のＦＡＴ情報を書き込むのに十分な容量であればステップＳ２０５に進み、不十分であればステップＳ２０３に戻る。ステップＳ２０５ではＦＡＴバッファ１０のＦＡＴ情報をメディアコントローラ９を介して記録メディア８のＦＡＴ領域に記録する。ステップＳ２０６では遅延書き込みフラグをリセットし、警告表示を消す。ステップＳ２０７では先行記録コマ数カウンタに０を記憶する。ステップＳ２０８では電源オフシーケンスを行い、システムを終了する。
【００３９】
図６に示すのは、メニュー釦が押された時の動作である。ステップＳ３０１において遅延書き込みフラグがセットされていればステップＳ３０２に進み、セットされていなければステップＳ３０８に進む。ステップＳ３０２では表示部１２に例えば「遅延書き込みの情報がありますので、お待ちください」と表示する。ステップＳ３０３では充電済み容量判別回路５３から二次電池４の充電済み容量を取得する。
【００４０】
ステップＳ３０４においてステップＳ３０３で取得した充電済み容量が未記録のＦＡＴ情報を書き込むのに十分な容量であればステップＳ３０５に進み、不十分であればステップＳ３０３に戻る。ステップＳ３０５ではＦＡＴバッファ１０のＦＡＴ情報をメディアコントローラ９を介して記録メディア８のＦＡＴ領域に記録する。ステップＳ３０６では遅延書き込みフラグをリセットし、警告表示を消す。ステップＳ３０７では先行記録コマ数カウンタに０を記憶する。ステップＳ３０８ではメニュー設定に移行する。
【００４１】
図７に示すのは、再生釦が押された時の動作である。ステップＳ４０１において遅延書き込みフラグがセットされていればステップＳ４０２に進み、セットされていなければステップＳ４０８に進む。ステップＳ４０２では表示部１２に例えば「遅延書き込みの情報がありますので、お待ちください」と表示する。ステップＳ４０３では充電済み容量判別回路５３から二次電池４の充電済み容量を取得する。
【００４２】
ステップＳ４０４においてステップＳ４０３で取得した充電済み容量が未記録のＦＡＴ情報を書き込むのに十分な容量であればステップＳ４０５に進み、不十分であればステップＳ４０３に戻る。ステップＳ４０５ではＦＡＴバッファ１０のＦＡＴ情報をメディアコントローラ９を介して記録メディア８のＦＡＴ領域に記録する。ステップＳ４０６では遅延書き込みフラグをリセットし、警告表示を消す。ステップＳ４０７では先行記録コマ数カウンタに０を記憶する。ステップＳ４０８では再生モードに移行する。
【００４３】
ステップＳ２０１、Ｓ３０１、Ｓ４０１から始まる処理は、遅延書き込みデータが存在するときにカメラの動作モードを変化させる指令が生じたときの処理で、本実施形態では表示部１２に警告を出し充電済容量がＦＡＴ更新に十分な量に達してから書き込みを行い、記録メディア８の保護を行っている。
【００４４】
以上述べたように、二次電池が未充電であっても、外部電源が接続されていれば撮影を許可し、なおかつその時にはファイル管理領域を除いたデータ本体のみを先行書き込みし、ファイル管理領域は一時的にカメラ本体側のメモリにバッファリングしておくようにしたので、一瞬のシャッターチャンスを逃すことなく撮影することができる。その後、充電が追いついてきた時点でファイル管理領域を更新する。
【００４５】
上記動作により、万一の電源断状態においても以前書き込まれたデータが保護される。充電がＦＡＴ更新可能な分まで行われた時にＦＡＴ更新を行うが、それまでにデータの本体部分は書き込みが終了しており、必要な充電量は少なくなっている。また、先行書き込みをユーザに警告しているので、書き込みが終了したと誤認する危険性は排除される。
【００４６】
なお、本発明の目的は、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、達成されることは言うまでもない。
【００４７】
この場合、記録媒体から読み出されたプログラムコード自体が上述した実施形態の機能を実現することになり、プログラムコード自体及びそのプログラムコードを記憶した記録媒体は本発明を構成することになる。
【００４８】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、コンピュータが読み出したプログラムコードを実行することにより、上述した実施形態の機能が実現されるだけでなく、そのプログラムコードの指示に基づき、コンピュータ上で稼動しているＯＳ（基本システム或いはオペレーティングシステム）等が実際の処理の一部又は全部を行い、その処理によって上述した実施形態の機能が実現される場合も含まれることは言うまでもない。
【００５０】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５１】
【図１】本発明を適用した電子スチルカメラの要部構成を示す図である。
【図２】メニューで設定可能な項目を示す図である。
【図３】電子スチルカメラでの処理動作を説明するためのフローチャートである。
【図４】電子スチルカメラでの処理動作を説明するためのフローチャートである。
【図５】電源オフが指示された時の動作を説明するためのフローチャートである。
【図６】メニュー釦が押された時の動作を説明するためのフローチャートである。
【図７】再生釦が押された時の動作を説明するためのフローチャートである。
【符号の説明】
【００５２】
１    電子スチルカメラ本体
２    外部電源装置
３    カメラマイコン
４    二次電池
５    電源回路
６    カメラ部
７    レリーズスイッチ
８    記録メディア
９    メディアコントローラ
１０  ＦＡＴバッファ
１１  表示回路
１２  表示部
１３  メインスイッチ
１４  カメラモード切替スイッチ
１５  メニュー釦
１６  電子ダイヤル
１７  セット釦
１８  強制書き込み釦
５１  安定化電源供給回路
５２  充電回路
５３  充電済み容量判別回路
５４  使用電源切替回路
６１  撮影レンズ系
６２  撮像素子
６３  画像処理回路
６４  画像圧縮/伸張回路
６５  画像バッファ
【図１】
2006148581.tif 000003
【図２】
2006148581.tif 000004
【図３】
2006148581.tif 000005
【図４】
2006148581.tif 000006
【図５】
2006148581.tif 000007
【図６】
2006148581.tif 000008
【図７】
2006148581.tif 000009